(57)【要約】【課題】自機が発するノイズにより放送チャンネルが誤検出されることを防止するとともに、当該ノイズの周波数と同等である放送チャンネルの検出が極力妨げられないようにすることが可能な、受信装置を提供する。【解決手段】現在受信されている電波の電界強度を検出する検出部と、ノイズ周波数およびノイズ電界強度を記憶する記憶部と、前記検出の結果が、ノイズ判定条件を満たしているか否かを判定する判定部と、を備え、ノイズ周波数については、自機からノイズとして放出される電波が受信されることにより、所定閾値以上の電界強度が検出される場合の受信周波数として設定され、ノイズ電界強度については、該検出される電界強度と同等の電界強度として設定されており、ノイズ判定条件は、受信周波数がノイズ周波数に設定されているときのものであって、ノイズ電界強度以下であることとした受信装置とする。【選択図】図２
2009111809.tif 000002
【特許請求の範囲】
【請求項１】
変更可能に設定されている受信周波数の電波を受信する受信部と、
現在受信されている電波の電界強度を検出する検出部と、
特定の周波数（「ノイズ周波数」とする）および電界強度（「ノイズ電界強度」とする）を表すノイズ情報を記憶する記憶部と、
前記検出の結果が、ノイズ判定条件を満たしているか否かを判定する判定部と、
を備えた受信装置であって、
前記ノイズ情報の内容は、
前記ノイズ周波数については、自機からノイズとして放出される電波が前記受信部に受信されることにより、前記検出部によって所定の閾値（「サーチ閾値」とする）以上の電界強度が検出される場合における前記受信周波数として設定され、
前記ノイズ電界強度については、該検出される電界強度と同等またはこれより大きい電界強度として設定されており、
前記ノイズ判定条件は、
前記受信周波数が前記ノイズ周波数に設定されているときに検出されたものであり、かつ、前記ノイズ電界強度以下となっていること、であることを特徴とする受信装置。
【請求項２】
前記受信周波数の複数種類について前記検出を行う第１処理と、
該検出の結果の各々が、前記サーチ閾値以上であるか否かを判定する第２処理と、
該第２処理において前記サーチ閾値以上であると判定された場合について、該検出の結果が前記ノイズ判定条件を満たしているか否かを更に判定する第３処理と、
を行うこと特徴とする請求項１に記載の受信装置。
【請求項３】
前記第３処理により、
前記ノイズ判定条件を満たしていないと判定された場合は、そのときの前記受信周波数にて受信される放送波から音声情報を取得し、音声出力を実行することを特徴とする請求項２に記載の受信装置。
【請求項４】
前記ノイズ情報の内容は、
前記受信周波数を順次変更し、その都度、電波暗室にて自機からノイズとして放出される電波を前記受信部に受信させ、前記検出を実行させる第１工程と、
該検出の結果が、前記サーチ閾値以上となる場合の前記受信周波数を選出する第２工程と、
が実行された上で、
前記ノイズ周波数については、該選出された受信周波数に基づいて設定され、
前記ノイズ電界強度については、該選出時における前記検出の結果に基づいて設定されていることを特徴とする請求項１から請求項３の何れかに記載の受信装置。
【請求項５】
前記ノイズ周波数は、
前記第２工程にて選出された受信周波数に等しく、
前記ノイズ電界強度は、
前記第２工程での選出時における検出の結果に等しいことを特徴とする請求項４に記載の受信装置。
【請求項６】
前記記憶部は、
前記ノイズ情報を複数種類記憶しており、
前記判定部は、
該ノイズ情報の各々を用いて、前記ノイズ判定条件を満たしているか否かを判定することを特徴とする請求項１から請求項５の何れかに記載の受信装置。
【請求項７】
前記第１処理は、
前記受信周波数を所定値ずつ減少または増加させていき、その各々の段階において、前記検出を行う処理であることを特徴とする請求項２に記載の受信装置。
【請求項８】
請求項１から請求項７の何れかに記載の受信装置であって、
ラジオ放送の放送波を受信し、該放送波から取得された音声情報に基づいて音声を出力することを特徴とするラジオ放送受信装置。
【発明の詳細な説明】
【技術分野】
【０００１】
本発明は、電波を受信する受信装置、およびラジオ放送の放送波を受信するラジオ放送受信装置に関する。
【背景技術】
【０００２】
従来、例えばラジオ放送の放送波を受信し、これに含まれているコンテンツ情報を抽出して音声出力などを行うラジオ放送受信装置が広く用いられている。またこのような受信装置の中には、例えばある範囲内にて受信周波数を順次切替え、受信の電界強度が一定の閾値（サーチ閾値）以上となるときの周波数（放送波の周波数である可能性が高いと考えられる）を放送チャンネル（放送波を含む電波の周波数）として検出する、サーチ機能を有するものがある。かかるサーチ機能によれば、予め放送チャンネルが判らない場合であっても、これを容易に検出することが可能である。
【０００３】
しかしながらこのようなサーチ機能により、放送チャンネル以外の周波数が選出される場合がある。例えば、受信装置周辺に比較的大きいノイズ（不要な電波）が存在すると、このノイズの周波数が放送チャンネルとして誤検出される場合がある。そのため、例えば自動的に放送チャンネルに係る放送番組の音声出力が実行されるような場合にはノイズ音が出力されてしまい、ユーザに不快感を与えるおそれがある。
【０００４】
そのためこれまでに、このような不具合を防止する方法が考えられてきた。例えば特許文献１によれば、不要な放送波や外来ノイズに対処するため、サーチ機能において特定の周波数を飛び越すものが開示されている。
【特許文献１】特開昭６０−１００８１７号公報
【発明の開示】
【発明が解決しようとする課題】
【０００５】
近年、電子機器の高機能化が進んできており、ラジオ放送受信装置が、種々の電子部品や装置等と一体化されることが多くなってきている。そのため、ラジオ放送受信装置自体が比較的大きなノイズを発する可能性が高まっている。その結果、自機が発するノイズへの対策が、非常に重要となってきている。
【０００６】
ただし、例えば自機が発するノイズの周波数を予め把握しておき、サーチ機能において一律にこの周波数飛び越すようにすると、この周波数と同等の放送チャンネルまで検出されない事態となる。そのため、適切なサーチ機能を実行することできず、利便性が損なわれてしまうおそれがある。
【０００７】
そこで本発明は上述の問題点に鑑み、自機が発するノイズにより放送チャンネルが誤検出されることを防止するとともに、当該ノイズの周波数と同等である放送チャンネルの検出が極力妨げられないようにすることが可能な、受信装置およびラジオ放送受信装置の提供を目的とする。
【課題を解決するための手段】
【０００８】
上記目的を達成するため、本発明に係る受信装置は、変更可能に設定されている受信周波数の電波を受信する受信部と、現在受信されている電波の電界強度を検出する検出部と、特定の周波数（「ノイズ周波数」とする）および電界強度（「ノイズ電界強度」とする）を表すノイズ情報を記憶する記憶部と、前記検出の結果が、ノイズ判定条件を満たしているか否かを判定する判定部と、を備えた受信装置であって、前記ノイズ情報の内容は、前記ノイズ周波数については、自機からノイズとして放出される電波が前記受信部に受信されることにより、前記検出部によって所定の閾値（「サーチ閾値」とする）以上の電界強度が検出される場合における前記受信周波数として設定され、前記ノイズ電界強度については、該検出される電界強度と同等またはこれより大きい電界強度として設定されており、前記ノイズ判定条件は、前記受信周波数が前記ノイズ周波数に設定されているときに検出されたものであり、かつ、前記ノイズ電界強度以下となっていること、である構成（第１の構成）とする。
【０００９】
本構成によれば、例えばサーチ処理（サーチ閾値以上の電界強度が検出されるときの受信周波数を、放送チャンネルとして検出する処理）においてノイズ判定条件が満たされる場合には、サーチ閾値以上の電界強度が検出されたとしても、この検出は自機が発するノイズに起因するものと考えられる。そのため、この場合には放送チャンネルとみなさないようにすることで、放送チャンネルの誤検出を防ぐことが可能となる。
【００１０】
またノイズ判定条件の内容は、検出された電界強度がノイズ電界強度以下であることとしているから、ノイズ電界強度より大きい電界強度の放送波が受信されている場合には、ノイズ判定条件は満たされない。そのため、当該ノイズの周波数と同等である放送チャンネルの検出が、極力妨げられないようにすることが可能となる。
【００１１】
また上記第１の構成において、前記受信周波数の複数種類について前記検出を行う第１処理と、該検出の結果の各々が、前記サーチ閾値以上であるか否かを判定する第２処理と、該第２処理において前記サーチ閾値以上であると判定された場合について、該検出の結果が前記ノイズ判定条件を満たしているか否かを更に判定する第３処理と、を行う構成（第２の構成）とする。
【００１２】
本構成によれば、複数種類の受信周波数（例えば、ある範囲内で所定間隔に並んだ周波数）のうちから、ノイズ判定条件を満たさないものを検出することによって、放送チャンネルを検出すること（サーチ処理を行うこと）が可能となる。
【００１３】
また上記第２の構成において、前記第３処理により、前記ノイズ判定条件を満たしていないと判定された場合は、そのときの前記受信周波数にて受信される放送波から音声情報を取得し、音声出力を実行する構成（第３の構成）としてもよい。
【００１４】
本構成によれば、サーチ処理に引き続いて、放送チャンネルに係る放送番組の音声を、自動的に出力させることが可能となる。そのため、ユーザにとって利便性の高い受信装置とすることが可能である。
【００１５】
また上記第１から第３の何れかの構成において、前記ノイズ情報の内容は、前記受信周波数を順次変更し、その都度、電波暗室にて自機からノイズとして放出される電波を前記受信部に受信させ、前記検出を実行させる第１工程と、該検出の結果が、前記サーチ閾値以上となる場合の前記受信周波数を選出する第２工程と、が実行された上で、前記ノイズ周波数については、該選出された受信周波数に基づいて設定され、前記ノイズ電界強度については、該選出時における前記検出の結果に基づいて設定されている構成（第４の構成）としてもよい。
【００１６】
また上記第４の構成としてより具体的には、前記ノイズ周波数は、前記第２工程にて選出された受信周波数に等しく、前記ノイズ電界強度は、前記第２工程での選出時における検出の結果に等しい構成（第５の構成）としてもよい。これらの構成によれば、ノイズ情報を適切に設定しておき、ノイズ判定条件を満たしているか否かの判定を適切に実行させることが容易となる。なおここでの「電波暗室」は、シールドルームも含むものとする。
【００１７】
また上記第１から第５の何れかの構成において、前記記憶部は、前記ノイズ情報を複数種類記憶しており、前記判定部は、該ノイズ情報の各々を用いて、前記ノイズ判定条件を満たしているか否かを判定する構成（第６の構成）としてもよい。
【００１８】
本構成によれば、ノイズ周波数が複数種類存在する場合に、これらのノイズ周波数ごとにノイズ情報を設けることで、判定部により適切な判定を行わせることが可能である。
【００１９】
また上記第２の構成としてより具体的には、前記第１処理は、前記受信周波数を所定値ずつ減少または増加させていき、その各々の段階において、前記検出を行う処理である構成（第７の構成）としてもよい。
【００２０】
また上記第１から第７の何れかの構成に係る受信装置であって、ラジオ放送の放送波を受信し、該放送波から取得された音声情報に基づいて音声を出力するラジオ放送受信装置であれば、上記の何れかの構成による利点を享受しつつ、ラジオ放送に係る音声出力を行わせることが可能である。
【発明の効果】
【００２１】
上述の通り、本発明に係る受信装置によれば、例えばサーチ処理（サーチ閾値以上の電界強度が検出されるときの受信周波数を、放送チャンネルとして検出する処理）においてノイズ判定条件が満たされる場合には、サーチ閾値以上の電界強度が検出されたとしても、この検出は自機が発するノイズに起因するものと考えられる。そのため、この場合には放送チャンネルとみなさないようにすることで、放送チャンネルの誤検出を防ぐことが可能となる。
【００２２】
またノイズ判定条件の内容は、検出された電界強度がノイズ電界強度以下であることとしているから、ノイズ電界強度より大きい電界強度の放送波が受信されている場合には、ノイズ判定条件は満たされない。そのため、当該ノイズの周波数と同等である放送チャンネルの検出が、極力妨げられないようにすることが可能となる。
【発明を実施するための最良の形態】
【００２３】
本発明の実施形態について、ラジオ放送受信装置を挙げて以下に説明する。当該ラジオ放送受信装置（以下、単に「受信装置」と称すことがある）１は、アンテナ１１、受信部１２、信号処理部１３、音声出力部１４、電界強度検出部１５、周波数検出部１６、制御部１７、記憶部１８、および操作部１９などを備えている。
【００２４】
受信部１２は、アンテナ１１に接続されており、到来する電波を電気信号に変換する。当該変換により生成された電気信号は、受取った電波の周波数や電界強度を反映したものとなっている。また受信部１２は同調回路などを備えており、当該電気信号から、所定の周波数（受信周波数）の成分を抽出して後段部へ出力する。なお受信周波数の値は、制御部１７によって制御される。なお本願では、受信周波数の成分として抽出された段階で、電波は受信されたものとする。
【００２５】
信号処理部１３は、復調回路などを備えており、受信部１２より伝送された電気信号から、ラジオ放送に係る音声情報を取得して後段部へ出力する。また音声出力部１４は、スピーカ等を備えており、信号処理部１３より伝送された音声情報に基づいて、音声を出力する。
【００２６】
電界強度検出部１５は、受信部１２より伝送された電気信号に基づいて、現在受信している電波の電界強度を検出する。また周波数検出部１６は、受信部１２より伝送された電気信号に基づいて、現在受信している電波の周波数を検出する。
【００２７】
制御部１７は、受信装置１において実行される種々の処理を制御する。主な処理の内容については、改めて説明する。記憶部１８は、例えば書換え可能である不揮発性メモリであり、後述するノイズ情報やサーチ閾値（サーチ処理にて用いられる、電界強度に関する閾値）の情報など、種々の情報を記憶する。操作部１９は、例えばＯＳＤ［On Screen Display］やボタンスイッチが設けられており、ユーザインターフェースとしての機能を有する。これにより、受信周波数の切替や各処理の実行指示などにおいて、受信装置１にユーザの意図を反映させることが可能となっている。
【００２８】
ここで先述したノイズ情報の内容について説明する。このノイズ情報は、特定の周波数を表すノイズ周波数と、特定の電界強度を表すノイズ電界強度の情報からなっている。またノイズ周波数やノイズ電界強度の値は、次に示す工程によって設定されている。
【００２９】
まず、ノイズ情報が記憶される前の受信装置１を、電波暗室もしくはシールドルームの中に搬入しておく。つまり受信装置１を、外来ノイズや放送波による影響を受けない状態としておく。そしてこの状態にて、受信周波数を、受信装置１において受信可能である全ての周波数に順次変更し、その都度、受信される電波の電界強度を、電界強度検出部１５を通じて検出させる。これにより、自機からノイズとして放出される電波の電界強度が、各受信周波数ついて検出されることになる。
【００３０】
その後、先述したサーチ閾値以上となる電界強度が検出されたときの受信周波数および電界強度（検出結果）を選出し、この選出されたものを、ノイズ周波数およびノイズ電界強度に設定する。これにより、ノイズ周波数は選出された受信周波数に等しく、ノイズ電界強度は選出された電界強度（検出結果）に等しく設定される。なおノイズ電界強度については、例えば所定値を更に加算しておく等により、選出された電界強度より大きめに設定しておいてもよい。
【００３１】
また受信周波数を選出する代わりに、周波数検出部１６による検出結果を選出するようにしてもよい。また複数の受信周波数についてこのような検出がなされた場合は、それぞれについてノイズ周波数およびノイズ電界強度を設定する。この場合は、複数の（当該設定した個数分の）ノイズ情報が設けられることになる。
【００３２】
なお受信装置１が量産品である場合には、ノイズ情報における各値（ノイズ周波数およびノイズ電界強度）の設定方法として、例えば以下に示す二通りの方法がある。まず一つ目は、製品である受信装置１の各々において、上述した内容の工程を実行させ、ノイズ情報の各値を設定する。そして、ある製品を用いた工程によって設定されたノイズ情報は、その製品にのみ適用することとする。つまり量産品の各々について、別個にノイズ情報を設定する方法とする。この方法によれば、ノイズ情報を、製品ごとの個体差に応じたものとすることが可能である。
【００３３】
そして二つ目は、複数個の製品について、上述と同様にして、サーチ閾値を超える電界強度が検出されたときの受信周波数および電界強度（検出結果）を選出しておく。その後、各製品における選出結果に基づき、製品ごとの受信強度のばらつきを考慮した上で、ノイズ情報の各値を設定する。そしてこの設定されたノイズ情報を、量産品の全体に適用する方法とする。この方法によれば、ノイズ情報の各値を製品ごとに設定する工程を省くことができ、製造の効率化を図ることが可能である。
【００３４】
以上に説明した構成により、受信装置１は、一般的なラジオ放送受信装置としての機能を有している。つまり受信装置１は、ユーザにより選局されたラジオ放送の放送波を受信し、ラジオ番組に係る音声を出力する。また更に、受信装置１は、一定の周波数の範囲内において放送チャンネル（放送波の周波数）を自動的に探索する、サーチ処理を実行することが可能となっている。以下、このサーチ処理の流れについて、図２のフローチャートを参照しながら説明する。
【００３５】
制御部１７は、操作部１９を通じてユーザからの実行指示やサーチする範囲の情報を受けることにより、サーチ処理を開始する。まず制御部１７は、受信周波数を、サーチする範囲の最大値（或いは最小値等でも良い）に設定する（ステップＳ１）。その後、電界強度検出部１５は、受信している電波の電界強度を検出する（ステップＳ２）。そして制御部１７は、検出された電界強度（検出結果）が、記憶部１８に記憶されているサーチ閾値より大きいか否かを判断する（ステップＳ３）。
【００３６】
この判断の結果、検出結果がサーチ閾値より小さい場合には（ステップＳ３のＮ）、現状の受信周波数は放送周波数でないと考えられる。そこで受信周波数の設定値を、予め定められているサンプリング間隔（１ステップ）だけ小さくした上で（ステップＳ６）、ステップＳ２の処理に戻る。なお、ステップＳ１の処理にて受信周波数をサーチする範囲の最小値に設定した場合は、サンプリング間隔だけ大きくする。一方、検出結果がサーチ閾値以上である場合には（ステップＳ３のＹ）、受信されている電波に放送波が含まれている可能性が考えられる。つまり、現時点の受信周波数が放送チャンネルである可能性が考えられる。
【００３７】
しかしながら、受信装置１自体が発しているノイズの影響により、受信している電波の電界強度が大きくなっている可能性も考えられる。そこでこのような事態となっているか否かを調べるため、制御部１７は先ず、現在の受信周波数（或いは、周波数検出部１６の検出結果）が各ノイズ情報における何れかのノイズ周波数に一致しているか否かを判断する（ステップＳ４）。
【００３８】
その結果、一致していれば（ステップＳ４のＹ）、受信装置１自体が発しているノイズの影響があると考えられる。そこで更に、ステップＳ２の処理での検出結果が、対応するノイズ電界強度以下であるか否かを判断する（ステップＳ５）。
【００３９】
その結果、対応するノイズ電界強度以下であると判断された場合は（ステップＳ５のＹ）、電波の電界強度がサーチ閾値を超えているのは、受信装置１自体が発しているノイズの影響によるものと考えられる。なお仮に放送波が含まれていたとしても、その電界強度は比較的小さく、当該ノイズの影響により放送信号を正常に処理することは困難と考えられる。そこでステップＳ６の処理に戻る（現在の受信周波数を放送チャンネルとはしない）こととする。
【００４０】
一方、受信周波数が、何れのノイズ情報に係るノイズ周波数とも一致していない場合は（ステップＳ４のＮ）、電波の受信強度がサーチ閾値を超えているのは、放送波を含んでいるためであると考えられる。そこで、現在の受信周波数は放送チャンネルであるとみなし（ステップＳ７）、当該放送チャンネルに係るラジオ放送の音声出力を開始する。
【００４１】
また検出結果が、対応するノイズ電界強度より大きい場合には（ステップＳ５のＮ）、受信している電波に先述したノイズが含まれている可能性もあるが、このノイズに対して比較的電界強度の大きい放送波が含まれている（つまり、ノイズの影響によって音声情報の取得が阻害されない程度の放送波が含まれている）と考えられる。そこでこの場合も、現在の受信周波数は放送チャンネルであるとみなし（ステップＳ７）、当該放送チャンネルに係るラジオ放送の音声出力を開始する。なお、サーチ範囲内において全く放送チャンネルを見出すことが出来なかった場合は、例えばその旨をユーザに報知させるための音響出力や表示を行うようにしても良い。
【００４２】
以上に説明した一連の処理（サーチ処理）により、受信装置１は、ある周波数の範囲内において放送チャンネルを自動的に選出し、その放送チャンネルに係るラジオ番組の音声出力を行うことが可能となっている。次にサーチ処理の内容をより理解容易とするため、その具体例を挙げて以下に説明する。
【００４３】
なおここでは、記憶部１８は第１ノイズ情報と第２ノイズ情報の二つのノイズ情報を記憶しており、第１ノイズ情報は、ノイズ周波数が１０４MHzであってノイズ電界強度が２６dBであり、第２ノイズ情報は、ノイズ周波数が９１MHzであってノイズ電界強度が２８dBであるとする。またサーチ閾値は１０dBであるとする。そして受信装置１（特にアンテナ１１）には、周波数と電界強度が図３のスペクトル図に示す関係となっている電波が到来しており、かかる状況の中、１０８MHzから８７．５MHzまで、０．５MHzのサンプリング間隔によるサーチ処理が行われるとする。
【００４４】
サーチ処理開始の指示により、まず受信周波数は１０８MHzに設定され（ステップＳ１に相当）、受信している電波の電界強度を検出する（ステップＳ２に相当）。この場合、検出される電界強度は１０dB未満であるため（ステップＳ３のＮに相当）、受信周波数は１０７．５MHzに設定されて（ステップＳ６に相当）、同様の処理が繰り返される。
【００４５】
そして受信周波数が１０４MHzに設定されたとき、電界強度の検出結果は１０dBを超えることとなる（ステップＳ３のＹに相当）。そのためステップＳ４の処理に進むが、このときの受信周波数は、第１ノイズ情報のノイズ周波数に一致する（ステップＳ４のＹに相当）。そこでステップＳ５の処理に進むが、このときの検出結果は、第１ノイズ情報のノイズ電界強度以下となる（ステップＳ５のＹに相当）。そのためステップＳ６の処理に戻ることになる。
【００４６】
そして受信周波数が９１MHzに設定されたとき、電界強度の検出結果は、再び１０dBを超えることとなる（ステップＳ３のＹに相当）。そのためステップＳ４の処理に進むが、このときの受信周波数は、第２ノイズ情報のノイズ周波数に一致する（ステップＳ４のＹに相当）。そこでステップＳ５の処理に進むが、このときの検出結果は、第２ノイズ情報のノイズ電界強度を越えることとなる（ステップＳ５のＮに相当）。
【００４７】
そのため、現在の受信周波数である９１MHzを放送チャンネルとみなし（ステップＳ７に相当）、当該放送チャンネルに係るラジオ番組の音声出力を開始する。これにより、今回のサーチ処理は完了する。
【００４８】
以上に説明した通り、本実施形態の受信装置１は、変更可能に設定されている受信周波数の電波を受信するものとなっている。また更に、現在受信されている電波の電界強度を検出する電界強度検出部１５と、ノイズ周波数およびノイズ電界強度を表すノイズ情報を記憶する記憶部１８が備えられている。また電界強度検出部１５による検出結果が、ノイズ判定条件を満たすか否か、つまり、受信周波数がノイズ周波数に設定されているときに検出されたものであり（ステップＳ４のＹに相当）、かつ、ノイズ電界強度以下となっている（ステップＳ５のＹに相当）かについて、判定されるものとなっている。
【００４９】
また更にノイズ周波数については、自機からノイズとして放出される電波が受信されることにより、電界強度検出部１５によってサーチ閾値以上の電界強度が検出される場合における受信周波数として設定されている。またノイズ電界強度は、この検出される電界強度と同等またはこれより大きい電界強度として設定されている。
【００５０】
サーチ処理においてノイズ判定条件が満たされる場合には、サーチ閾値以上の電界強度が検出されたとしても、この検出は自機が発するノイズに起因するものと考えられる。そのため受信装置１では、この場合には放送チャンネルとみなさないようにすることで、放送チャンネルの誤検出を防ぐこととしている。
【００５１】
またノイズ判定条件の内容は、検出された電界強度がノイズ電界強度以下であることとしているから、ノイズ電界強度より大きい電界強度の放送波が受信されている場合には、ノイズ判定条件は満たされない。そのため受信装置１によれば、当該ノイズの周波数と同等である放送チャンネルの検出が、極力妨げられないようになっている。
【００５２】
以上、本発明の実施形態として例を挙げて説明したが、本発明の実施形態はこれに限定されるものではなく、本発明の主旨を逸脱しない限り、種々の改変を加えることが可能である。また本発明は、ラジオ放送受信装置だけでなく、テレビ放送受信装置など種々の受信装置にも応用可能である。
【産業上の利用可能性】
【００５３】
本発明は、ラジオ放送受信装置などの分野において利用可能である。
【図面の簡単な説明】
【００５４】
【図１】本発明の実施形態に係るラジオ放送受信装置の構成図である。
【図２】サーチ処理についての流れ図である。
【図３】サーチ処理に関する説明図である。
【符号の説明】
【００５５】
１    ラジオ放送受信装置（受信装置）
１１    アンテナ
１２    受信部
１３    信号処理部
１４    音声出力部
１５    電界強度検出部
１６    周波数検出部
１７    制御部
１８    記憶部
１９    操作部
【図１】
2009111809.tif 000003
【図２】
2009111809.tif 000004
【図３】
2009111809.tif 000005